【手続補正書】
【提出日】平成17年4月22日(2005.4.22)
【手続補正１】
【補正対象書類名】明細書
【補正対象項目名】全文
【補正方法】変更
【補正の内容】
【書類名】明細書
【発明の名称】発光体を具備した光電池イオン歯ブラシ
【特許請求の範囲】
【請求項１】
柄というハンド部の一側と他の一側に光電池（太陽電池）とスイッチを具備して、ハンド部と一体に形成した帯状の絶縁体の先端には発光体を設置して両側面には導電体を各面に設置して、光電池とスイッチと導電体とそして発光体を電気的に接続（直列接続または並列接続及び直列接続と並列接続の混合接続を含む）して構成される導電体に歯磨き部を結合することによって側面の間隔が１ｍｍで形成された水液移動通路が形成され直流回路の導電部を構成する、発光体を具備した光電池イオン歯ブラシに於て光電池の（−）極に接続する導電体の表面積を光電池の（＋）極に接続された導電体の表面積より導電部にて、より広く構成し、スイッチのを入れることにより光起電力が導電体に導電されると同時に発光体が点灯する事を特徴とする発光体を具備した光電池イオン歯ブラシ。
【請求項２】
第１項に於いて絶縁体又は導電体に設置され接続されている発光体が小型電球又は元素周期律表の第３列と第５列の元素で構成されている発光ダイオード（ＬＥＤ：Ｌｉｇｈｔ  Ｅｍｉｔｔｉｎｇ  Ｄｉｏｄｅ）を設置した事を特徴とする発光体を具備した光電池イオン歯ブラシ。
【請求項３】
第１項に於いて導電体（３３ｂ）に絶縁体（３３ｃ）を結合し、導電体（３３ｄ）を絶縁体（３３ｃ）に結合した後、絶縁体（３３ｅ）を導電体（３３ｄ）に結合し、導電体（３３ｆ）を絶縁体（３３ｅ）に結合した後、絶縁体で形成したナット（３３ｇ）で導電体（３３ｂ）のボルトにネジ結合する事によって導電体（３３ａ）を構成して発光体と光電池に電気的に接続し線上型に構成される１つの導電体に陰電極＋陽電極＋陰電極が構成され電気的に直流回路が構成される事を特徴とする発光体を具備した光電池イオン歯ブラシ。
【請求項４】
第１頁に於いてハンド部に小型モーターと蓄電池を内臓し光電池の起電力で蓄電池に充電させ歯ブラシを使用する時は蓄電池の電力でモーターを作動させこの時の光起電力は電気的に接続した導電体と発光体に導電され導電部で電解反応を発揮し歯ブラシを使用しない時は再び充電のみ継続される発光体を具備した光電池電動イオン歯ブラシの構成を特徴とする発光体を具備した光電池イオン歯ブラシ。
【発明の詳細な説明】
【０００１】
【発明の属する技術分野】
本発明は発光体を具備する光電池イオン歯ブラシに関するものであり、より詳しくは、光エネルギーを電気エネルギーに変換する光電池を柄というハンド部の一端に設置し、柄より歯磨き部の方向に柄と一体に形成した帯状の絶縁体の方向に半円筒で形成した導電体を絶縁体を境界に設置し、１つの線上に構成された導電体部に電気的直流回路を構成する光電池の（＋）極に接続する導電体の表面積より（−）極に接続する導電体の表面積を導電部にて、より広く形成し、唾液等の水分との接触で効率的に水素イオン（Ｈ＋）の分極作用を促進する結果還元、酸化反応の電気化学反応をより効率的に助長させることで従来の技術及び他の従来の技術の欠点を改めると同時にハンド部から連続され導電部を構成する絶縁体の先端に設置されて発光ダイオード（ＬＥＤ）を光電池と導電体と電気的に接続  して光起電力による光を利用して歯と口腔衛生状態を確認することが簡単にできると同時に電圧の比率により２色に点灯する光の色により、適切な電圧を識別することができる様にすることにより歯及び口腔衛生状態を向上させることができる光電池と導電体と２色ＬＥＤを具備した光電池イオン歯ブラシに関するものである。本発明で言及する電気的接続と言うのは各部材要素間の直列接続または並列接続及び直列接続と並列接続の混合接続を含む。
【０００２】
【従来の技術】
陰イオン及びフッ素を歯の組織に浸透させる方法で特許公告８８−１７（１９８８．２．１５）の従来の技術は歯磨き部と柄を別体で構成し、この柄に１．５Ｖの酸化銀電池を内臓すると同時に歯磨き部の先の方向に導体部材を植設して（−）極を導体部材に接続し（＋）極は電池→歯ブラシの柄の端子→手→身体→歯に至る電気回路を構成することによって低い電圧で抵抗が大きい人体を回路として利用する、この従来の技術は開知事項として水の実質的理論分解電圧である１．７７Ｖに対し、１．５Ｖの電圧を利用しているために実質的理論分解の電圧より、より低い電圧で抵抗が大きい人体を電気回路の一部として利用する点に於いて充分な反応可否が憂慮される問題点があった。又、電池の特性である自然放電の現象及び使用回数と時間の経過に比例して電圧がだんだん低くなる結果、一定期間が経過後の反応と効果の可否も憂慮される点があった。そして、電池の電力が消費された後には歯ブラシの柄に設置されている、導体性材料と共に一括破棄をしなければならない材料、及び資源浪費という問題点がある。
歯ブラシとは歯面に付着した異物質を除去する物理的掃除道具と定義される。従い、歯ブラシは清潔性が重要である。しかし、この従来の歯ブラシは導体部材と歯磨き部の挿入口と連通管の結合状態に於いて挿入口と連通管の側面の間隔が無く、歯磨き後、口腔内に残存していた食べ物のかす等の異物質がはさまり残る為、非衛生的であった。又、この異物質を除去する為には毎回歯磨き部を挿入口より分離し、そうじしなければならない問題点が有る。
上記、技術の欠点を解消する方法として公告されたまた他の従来の技術の特許公告９０−７５３９（１９９０．１０．１５）は、やはり歯ブラシのヘッド部と歯ブラシの柄を別体で構成し、Ｎ型半導体を柄の先端より歯ブラシのヘッド部の方向に植設し光照射下にて水分の接触が並行する時、湿式光触媒反応による酸化還元反応の結果、歯の衛生効果を期待する技術である。ここで、水分というのは、光の通過性が優秀な透明な水を指す。より詳しくは、光の遮断要素が排除された条件にて、Ｎ型半導体の電解反応を期待することができるものである。しかし、現実的にＮ型半導体歯ブラシの歯磨きが履行されている状況を考察してみると、水＋歯磨き粉＋唾液＋口腔内に残存する食べ物のかす等が混合された不透明な液体で形成されたうがい水がＮ型半導体と結合して形成された歯磨き部の貯水溝に深く、厚くＮ型半導体を被膜する結果、光が遮断される為、Ｎ型半導体の光触媒反応を期待することができない欠点が有った。さらに光を遮断するうがい水＋歯磨き粉＋唾液＋口腔内に残存する食べ物のかす等の被膜層が形成されたＮ型半導体が光が無い暗い口腔内にて光触媒反応を期待することはとても難しい。又、他の従来の技術では、他の実施例で、Ｎ型半導体と良導体を縦方向にオミック接触させ、一端は歯ブラシの柄に内臓された電池の一極に接続し、電池の他の一極は柄に設置された良導体に接続し、電池→良導体→手→身体→歯に至る抵抗が大きい人体を電気回路として利用するこの実施例は、他の従来の技術が″発明の詳しい説明″にて自分が指摘した欠点を再現する結果を招来することになり自身の発明の矛盾という問題点が有る。
上記実施例に従う場合、電池の特性である、自然放電、及び長期的に使用する事により電力が全て消費された後は、歯ブラシに設置されている良導体と半導体迄も破棄しなければならないという材料と資源浪費という欠点が発生する事になる。
そして、又、他の従来の技術にても歯ブラシのヘッドと柄との結合状態にあり、Ｎ型半導体を中心とし、歯ブラシのヘッド部と側面の間隔が形成されていず、歯磨き後、汚れた水や異物質が引っ掛かり残存し、非衛生的という問題点が有った。又、この異物質を除去する為には、毎回歯ブラシのヘッド部を柄からはずして綺麗にしなければならない問題点が有った。
【０００３】
【発明が解決しようとする技術的課題】
本発明の目的は、上記と同じ従来の技術、及び、他の従来の技術の問題点を解消し、より効率的な分極作用を助長し、還元、酸化反応を促進する結果、口腔内のｐＨの中和，プラーク，虫歯及び歯槽膿漏の原因菌を分解し、歯及び口腔衛生状態を効率的に向上させ、光電池に作用される発光ダイオード（ＬＥＤ）びハンド部にて連続される絶縁体の先端に設置し光気電力の電圧を識別し、歯の健康状態を確認点検する事ができる発光体を具備する光電池イオン歯ブラシ及び、光電池電動イオン歯ブラシを提供することにある。
【０００４】
上記と同じ目的を達成する為に、本発明による発光体を具備する光電池イオン歯ブラシの特徴は、射出成形行程にて、ハンド部と一体に成形された歯磨き部の方向の細い幅の帯状の絶縁体に導電体を設置し直流回路を構成し光電池の（＋）極に接続される導電体の表面積より光電池の（−）極に接続され導電体の表面積を導電部にてより広く形成し唾液との接触面積が広く構成され陰（−）電極が水素イオン（Ｈ＋）の吸着率を促進する結果、効率的な分極作用による還元酸化反応が招来され極大の歯みがき効果を追求する事ができる。
【０００５】
【問題を解決する為の手段】
上記の従来の技術と本発明の違う点は、従来の技術では、酸化還元反応を誘導するエネルギー源が一般の電池である点に対し、本発明は天恵の無限なる資源である光を利用し、導電部の導電体形成と構成に於いて従来の技術は、電池の（−）極は導体部材に接続し、電池の（＋）極は抵抗が大きい人体を電気回路として利用し、個人の抵抗差による反応と効果の可否が憂慮された点に対し、本発明は導電体帯状の一側には光電池の（＋）極に接続される導電体を設置し他方の側では  光電池（−）極に接続される導電体を設置し電気的直流回路を構成する導電部にて（＋）極の導電体表面績より（−）極の導電体の表面的をより広く形成して光電池より適切な電圧の供給を受ける導電体は口腔内外の場所と位置は不問いであり、水素イオン（Ｈ＋）を効率的に吸着する結果、分極作用と酸化、還元反応が加速的に発揮されより効果的な歯磨き効果を期待する事ができる点である。
導電体に適切な電圧を供給し使用者に合った適切な電圧を産出する方法で通電の強弱を識別し、選択する事ができる発光体の点灯に必要な適切な電圧を獲得する方法としては、使用者が歯磨きをする時、ハンド部の一端に設置された光電池の表面積を広く持つか、隠して狭く持って、光が当る面積を自由に調節し使用者に合った電圧供給を受ける事ができる。本発明による実施例の光電池は、縦１０ｍｍ×横４０ｍｍ×高さ１．１ｍｍで、１０個のセル（Ｃｅｌｌ）で形成されていて、ここで受ける電圧は５Ｖであり、出力１８Ｗの近紫外線をよく放射する蛍光灯を１．５ｍの距離から光照射を実施し獲得した測定値である。
【０００７】
そして、従来の技術では、挿入口を中心として連通管との結合状態に於いて、挿入口と連通管の側面の間隔が無く、歯磨きの後、汚れた水が残り非衛生的な点と毎回歯磨き部を分離して掃除をしなければならない不便な点に対し、本発明は柄から歯磨き部の方向に連続してある絶縁体及び導電体を中心として歯磨き部との側面の間かくを１ｍｍとし、異物質の流通路及び水液の移動通路を作ることにより、うがい水の異物質が残らない様になり、水液の移動通路としての役割により、効率的な還元、酸化反応が発揮される点が従来の技術と衛う本発明の特徴である。
【０００８】
上記、他の従来の技術と本発明が異なる点は、他の従来の技術にては、酸化、還元反応を発揮させる方法として、光触媒反応をするＮ型半導体を利用しているが貯水溝にあるＮ型半導体が歯磨きをする時できる水＋歯磨き粉＋唾液＋飲食物の残りかす等で混合されている、不透明な水が貯水溝の深さと厚みで比較的厚い層を形成しＮ型半導体を被膜し、光を遮断する状態で、光が無い口腔内にての光触媒反応を期待することができない点に対し、本発明は上記の従来の技術に於いて記述したのと同様ハンド部の片側に光電池と導電部と電気的回路を構成する（＋）極回路を形成する導電体の表面積より（−）極を形成する導電体の表面積を導電部にてより広く形成することによって水素イオン（Ｈ＋）の分極作用が促進される結果、導電体を被膜するうがい水の被膜層の厚さに関係なく効率的な、還元、酸化反応が発揮される点である。
【０００９】
そして、上記他の従来の技術の他の実施例である、電池→良導体→Ｎ型半導体で一極を形成する場合、電池の電力が全て消費された後には、本体に設置した各種の導体性材料と共に半導体まで廃棄しなければならない材料と資源浪費の問題点に対し、本発明は天恵の無限なる、光エネルギーを電源として活用し、光電池の半永久性を考慮し、絶縁体と組み合わさってる歯磨き部と導電部を別に形成し、着脱式の結合分離型に構成する事によって、資源有効活用に寄与する事ができる点と、他の一極を電池→良導体→手→身体→歯に至る抵抗が大きい人体を電気回路として利用するのに対し、本発明は導電部に（＋）極と（−）極が形成された電気的直流回路を形成し、効率的な還元、酸化反応を期待する事ができる点である。
又、他の従来の技術もやはり、挿入部とＮ型半導体が公設された本体との結合された状態にあっては、Ｎ型半導体と結合された挿入部との側面の間隔が形成されていず、汚れたうがい水が染み込むのが放置され、非衛生的な点に対し、本発明は歯磨き部と導電部の結合で構成されている１ｍｍ間隔のイオン部を形成し異物質が残存することができる可能性を排除し、水液の移動通路としての役割による、分極作用、及び還元、酸化反応で、歯、及び口腔衛生が向上される点である。
【００１０】
本発明の他の目的は、ハンド部と一体に形成され歯磨き部の結合で導電部を構成する絶縁体の先端に光電池に作用する発光体すなわち，発光ダイオード（ＬＥＤ：Ｌｉｇｈｔ  Ｅｍｉｔｔｉｎｇ  Ｄｏｉｄｅ）を設置し  発光する光の色で光起電力の電圧を識別し使用者に適切で適合した電圧を供給する発光体を具備した光電池イオン歯ブラシを提供しようというものである。  この発光ダイオード（ＬＥＤ）の（−）極には抵抗器が  設置されていて  導電部にて陰電極を形成する導電体に接続され（＋）極には陽電極を設置した導電体に接続して導電部では還元酸化反応が発揮され発光ダイオード（ＬＥＤ）では光を発揮し美的要素を加えることによって新鮮感を誘発する為子供達の歯みがきを助長すると同時に鏡を見ながら口腔内のすみずみまで歯の衛生状態の確認点検が容易であり歯の及び口腔衛生を効率的に向上させ維持する事ができる。
【００１１】
【発明の実施の形態】
以下、添付図面を参考にして本発明を詳細に説明すると次の様になる。
図１ないし図２は、本発明の第１実施例として導電部の先端に発光体を具備した光電池イオン歯ブラシを図にしたものである。柄（１）を含むハンド部（２）の片側に光電池（３）を設置し、この光電池（３）の上に０．５ｍｍの高さで間隔を形成した後、光通過性と外部衝撃を考慮して、透明性と緩衝性が良好な保護フイルム（４）を設置した後、縁をゴムで圧搾して固定させた。
【００１２】
射出成形の工程でハンド部（２）と同体の帯状に形成された歯磨き部（８）に連続された導電部（５）を構成する絶縁体（６）の帯状の一側に導電体（５ａ）を設置し抵抗器（９）の一端に接続した後この抵抗器（９）のもう一方の一端をハンド部（２）に設置された光電池（３）の（−）極に電気的に接続し導電体（５ｂ）は絶縁体（６）の他の一方側に設置し光電池（３）の（＋）極に電気的に接続する導電部（５）で（−）極に構成された導電体（５ａ）の表面積を（＋）極に構成された導電体（５ｂ）の表面績より２倍以上の広さで構成される事が望ましいが効率的な電解反応を誘導する為には適切な比率で構成しなければならない。上記構成に於て光電池（３）に光があたれば光起電力による電流は導電部（５）を構成する絶縁体（６）に  設置された導電体（５ａ，５ｂ）に導電され導電部（５）に形成された水液移動通路（１０）にて水液等と接触し還元酸化反応による光電気化学反応が発揮される。そして絶縁体（６）の先端に設置された発光ダイオード（７）は導電体（５ａ，５ｂ）に電気的に接続され光電池（３）に光が照射されると常時的に点灯される様に構成したものである。
【００１３】
水液の電解反応に於いて、電位差による水素イオン（Ｈ＋）の還元反応による酸化反応が進行することによって電流の強さに比例して水素イオン（Ｈ＋）化を促進する方法として水液に反応する、陰電極の表面積を陽電極の表面積よりも、より広く形成し、効率的な還元、酸化反応を発揮させようとするものである。本発明に伴う水素イオン（Ｈ＋）の電解反応の促進の為の方法の２要素である電流の強さは光電池（３）の表面を広く持つか、隠して持って、光気電力を調節して獲得することができると同時に直流回路が構成される、電動部（５）の陰電極の表面積を陽電極の表面積より、より広く形成し加速的なイオン反応を期待することができる点である。
陰電極での反応  ：  ２Ｈ＋２ｅ−→Ｈ２    ↑                    ［１］
陽電極での反応  ：  Ｈ２Ｏ    →１／２Ｏ２＋２Ｈ  ＋２ｅ−      ［２］
電反応          ：  Ｈ２Ｏ  →Ｈ２＋１／２Ｏ２                  ［３］
上記１式ないし３式のイオン反応式の為には、陰電極の表面積を陽電極の表面積より導電部（５）にて、より広く形成することによって歯みがき効果を期待する事ができる。また陰電極と陽電極の電位差を期待して陰電極と陽電極の表面積比率を同じにするか陽電極の表面積を広くすることもできる。後方の方法提案する事ができるが効率的な実施例ではない。
【００１４】
図３の（ア）と（イ）は本発明の第１実施例にともなうＡ−Ａ線とＢ−Ｂ線による縦断面図である。
導電部（５）と絶縁体（６），導電体（５ａ，５ｂ）が線上に形成した状態で円形に形成される水液移動通路（１０）を１ｍｍの間隔を形成することにより、汚れたうがい水が残らない様になり、唾液等の水液がこの水液移動通路（１０）を経由する間、光電池イオン反応が発揮される。
【００１５】
図４，５は本発明による第２実施例を表わしている。この実施例では第１実施例による類似類型に２０を加えた。柄（２１）というハンド部（２２）の一側と他の一側に光電池（２７，２７ａ）を内設し電気的に接続して、ＯＮ−ＯＦＦスイッチ（２３）及び導電部（２４）と電気的に接続して、柄（２１）で歯磨き部（２６）に連続して導電部（２４）持ち導電体（２４ａ，２４ｂ）を受容する絶縁体（２５）の先端に発光ダイオード（２８）を設置し一端は導電体（２４ａ）に接続して他方の一端は導電体（２４ｂ）に接続することによって上記第１実施例と同じ電気的に形成した直流回路に発光ダイオード（２８）が接続されスイッチ（２３）によってコントールされる発光体を設置した光電池イオン歯ブラシを形成するものである。
【００１６】
図６，７は本発明による第３実施例を表わしている。この実施例では第１実施例の類似類型の材料に３０を加えた。第３実施例ではより効率的な光電池化学反応を創出する為の導電体（３３ａ）の構成に  関する事として１個の線上に直流回路を構成する陰電極＋陽電極＋陰電極を構成しすなわち，上記  第１実施例にて第２実施例にて実施した陰電極の表面積を陽電極の表面積より広く形成し陰電極と陽電極の形成によって直流回路を構成する点において第３実施例では陰電極＋陽電極の形成に陰電極をもう１つ設置し直流回路を構成してより効率的な光電池化学反応を創出しようとするものである。
図６に表わした様に導電体（３３ｂ）に絶縁体（３３ｃ）をさし込み組立てた後、導電体（３３ｄ）を絶縁体（３３ｃ）の上にさして組立て絶縁体（３３ｅ）を導電体（３３ｄ）の上にさして組立てた後、導電体（３３ｆ）を絶縁体（３３ｅ）の上にさした後絶縁体で形成されたナット（３３ｇ）で導電体（３３ｂ）のボルトにネジ組立てで圧着させて異物質の流入が防止されると同時に導電体（３３ａ）が構成される。  発光ダイオード（３４）を導電体（３３ｂ）と導電体（３３ｄ）に電気的に連結した後、導電体（３３ａ）を光電気（３５）に電気的に連結させハンド部（３２）に装着した後にインサート射出をしながら望ましくないうがい水の流入を排除する導電部（３３）が形成される。
【００１７】
図７は、図６のＣ−Ｃ線による縦断面図である。
図８は本発明による第４実施例を図示したものでこの実施例では第１実施例の類似類型の材料に  ４０を加えて説明する。  第４実施例は発光体を具備した導電体に直流回路を形成し光起電力で作動する光電池イオン歯ブラシに於て小型電動モーター（４３）をハンド部（４２）に内蔵させ微細な振動を発揮させながら歯及び口腔衛生の効果をより一層創出しようというものである。ハンド部（４２）の一端に設置したＯＮ−ＯＦＦスイッチ（４４）をつけると電動モーター（４３）が作動すると同時に絶縁体（４６）に形成された。導電体（４５ａ，４５ｂ）に導電され絶縁体（４６）の先端に設置した発光ダイオード（４７）に電気的に連結され発光ダイオード（４７）を点灯させると同時に導電体（４５ａ，４５ｂ）では光電池化学反応が発揮させる。
【００１８】
図９は本発明による第５実施例を表わす。この実施例では第１実施例の類似類型の材料に５０を加えて説明する。柄（５１）というハンド部（５２）一端に３段スイッチ（５３）と光電池（５４）を設置しハンド部（５２）の内部には小型蓄電池（５５）と小型電動モーター（５６）を内蔵した。光電池（５４）に光が照射される状態でスイッチ（５３）を１段につけると蓄電池（５５）は電動モーター（５６）を駆動させると同時に導電部（５７）を構成する絶縁体（５８）に設置した導電体（５７ａ，５７ｂ）が光電池（５４）の起電力に導電され電気的に連結された発光ダイオード（５９）を点灯させる電気的接続で効率的な歯みがき効果を追求する事ができる。スイッチ（５３）を２段目につけると光電池（５４）で発生させる光起電力は逆流防止ダイオード（５４）を経由して蓄電池（５５）に電気的に接続させる結果、充電をする様に構成した。スイッチ（５３）を３段目につけると絶縁状態で過充電を防止する電気的接続を構成した。
【００１９】
上記、第１、２、３、４、及び第５実施例に於て発光体を具備する光電気イオン歯ブラシ及び光電気電動イオン歯ブラシは合成樹脂等で形成される。そして、光電池の半永久性を考え歯磨き部を別に形成し、着脱組み立て型であり親環境的にもふさわしい実施例である。又、第１実施例ないし、第５実施例に於いては、導電部及びハンド部の一端に具備されている、発光ダイオードは、電圧の強弱によって色が変換される２色ＬＥＤを設置したが元素周期律表第３族と第５族の元素を組み合わせ赤、オレンジ色、黄色、青、緑等の色を構成し消費者の趣向に呼応して販売促進に寄与する事も望ましい実施例である。
【００２０】
【特許の効果】
以上で記述した通り、本発明は発光体を具備した光電池イオン歯ブラシに関するものであり、『特許の効果』に関しては従来の技術と違う従来の記述に対し、本発明を対比して説明をする。
【００２１】
従来の技術の実施例に伴う欠点としては、電池の寿命の有限性で材料が浪費される点、低い電圧で抵抗が大きい人体を電気回路として利用している点、水の実質的理論分解の電圧である、１．７７Ｖに足らない電圧を利用する点、連通管に思わしくない異物質がうがい水の残存する点、毎回歯磨き部分を分離してそうじをしなければならない点等、本発明の実施例で是正すると同時に、より効率的な歯及び口腔衛生状態を向上させようとしている。従来の技術に対し、本発明の第１の効果では、電解反応を発揮させる方法で、光電池を利用し、天恵の資源を有効に活用すると同時に自然放電及び、電力消費等で、電圧が弱くなる問題点が無く、電源の有限性で使用中に歯ブラシ及び、材料等を廃棄しなければならなかった資源浪費の問題点が無い半永久的寿命の光電池を利用し、抵抗が大きい人体を導体に電気回路の一部として利用した従来の技術の欠点を解消し、使用者各各の人体抵抗が克服され、使用者に丁度良い電圧を供給することができる。そして、水の電解反応に必要な実質的、最小理論分解電圧に相応する電圧、又は、電解反応の加速化に必要な、それ以上の電圧を光照射率に対応される、光電池の表面を広く持ったり、隠して持って周辺の条件に関係無く必要な電圧を持続的に供給する事ができ、効率的な分極作用が創出できると同時に、従来の技術の欠点が是正される。
【００２２】
従来の技術に対し、本発明の第２の効果としては、導電体の構成に於いて、細い１個の線上に直流回路を形成し、水液移動通路を形成する導電部にて陽電極の表面積より陰電極の表面積をより広く形成させ、効率的な電解反応の核心要素である電圧の強さにイオン反応の面積を比例的に広げ、効率的な分極作用による還元酸化を招来すると同時に、従来の技術である、抵抗が大きい人体を導体として利用してきた欠点が解消されるものである。
【００２３】
又、本発明による第３実施例（図６）にて表す通り導電体（３３ｂ，３３ｄ，３３ｆ）と絶縁体（３３ｃ，３３ｅ，３３ｇ）の上記、実施例による順次的結合により、導電部（３３ａ）が形成される細い１つの帯状に陰電極＋陽電極＋陰電極を形成し、陰電極の表面積を陽電極の表面積より、より広く構成し、水素イオン（Ｈ＋）のイオン化を促進する電気的直流回路を構成し、より効率的な光電池化学反応を期待することができる。
本発明の第３の効果として、本発明の第１実施例ないし、第５実施例に表す通り、導電部を構成する絶縁体及び導電体の先端に２色発光ダイオード（ＬＥＤ：Ｌｉｇｈｔ  Ｅｍｉｔｔｉｎｇ  Ｄｉｏｄｅ）を設置し電気的に導電体に接続して電圧の比率によって赤，黄，青，緑等に点灯するものである。上記の構成によって発光する色で使用者はある程度の電圧が光電池から発生しているのかを識別することができ、発光した色によって自分に適切な電圧であるかどうかを目で確認する事ができるものである。  又、歯磨き後、鏡を見て暗い口腔内を照らし、心配される歯の衛生状態を観察することもできる。又、口腔内外にてうがい水の唾液が混ざった中に光を発揮することにより、清純感や新鮮感を感じることができることからも、子供達の歯磨きの欲求を助長する事もでき、ショールーム又は、マーケット内での陳列状態で色がある光を発揮し視線を誘導する為、販売促進効果も期待する事ができる。
【００２４】
従来の技術に対して、本発明の第４効果として、導電部に構成されている、水液移動通路に関することで、従来の技術では導体部材と連通管の結合状態にて側面間隔が円滑でなかった為、歯磨き後に思わしくないうがい水が残存し、非衛生的な点に対し、本発明では、導電部に水液移動通路を形成し、うがい水の流通を円滑にさせた結果、清潔性を維持できると同時に、従来の技術の欠点を解消した。そして、水液移動通路にての水液の円滑な流通で、導電部にて効率的な還元、酸化反応が発揮される結果、効率的な歯と口腔衛生状態を期待する事ができる。
【００２５】
他の従来の技術の実施例による欠点からは、電解反応を発揮する手段としてＮ型半導体を利用する点に於いて、唾液が混じったうがい水がＮ型半導体を貯水溝に深く厚い被膜を作り光の遮断層が形成され、光触媒反応を期待する事ができない点、上記の環境で実質的な水の理論分解電圧が１．７７Ｖが生成されない点、Ｎ型半導体と良導体のオミック接触と電池接続、そして、抵抗が大きい人体を導体として利用する実施例の場合、電池消耗後、導体性材料と共にＮ型半導体まで廃棄しなければならないという、資源浪費の問題点、挿入部を透明な合成樹脂のみを使用しなければならない、という理由で美的要素が減少される点、貯水溝と挿入部に思わしくない異物質が残存し非衛生的な点と毎回そうじをしなければならない等、欠点を本発明の実施例にて克服される。
【００２６】
本発明は光電池化学反応に必要なエネルギー源がハンド部の一端に設置された光電池より獲得され、導電部では陰電極をより広い、直流回路を構成した為、うがい水の被膜層の厚さと口腔内の明るさに関係無く、光の明るさにより、光電池の表面積を広く持ったり、隠して持ったりして適切な電圧の獲得で、効率的な光電池化学反応を発揮する事ができるものである。また、他の従来の技術にては挿入部を透明な合成樹脂だけを使用しなければならなかった、という理由で、美的要素が制限され、現代社会の歯ブラシのファッション化に逆行するという問題点に対し、本発明は光電池による直流回路の構成で、歯磨き部の材料選択に制限を受けないファッション歯ブラシを提供する事ができる。
【００２７】
又、他の従来の技術にて、上記実施例の補完策として他の実施例で一般電池を柄に内臓して良導体とＮ型半導体をオミック接触した後、電池の陰極に接続させ、他の一極には人体を導体として利用する従来の技術の欠点を再現する実施例として電池の電力が全て消費された後に、歯ブラシの本体、各種材料の良導体と共に半導体まで一括廃棄しなければならない資源浪費の問題点があることに対し、本発明は、半永久的寿命の光電池を利用する事によって半永久的に使用するこ事ができる点等は資源の有効活用に寄与するものである。
他の従来の技術に対し、本発明の第２効果は他の従来の技術にてもＮ型半導体と貯水溝の結合状態にあって、隙間が形成されていない為にうがい水の異物質が残る結果、非衛生的な点に対して、本発明は、水液移動通路を形成する事によって、異物質が残らず、清潔に保たれ、導電部にて効率的な還元酸化反応を招来できるという点である。
【図面の簡単な説明】
【図１】
発光体を具備する光電池イオン歯ブラシの正面図である。
【図２】
発光体を具備する光電池イオン歯ブラシの背面図である。
【図３】
（ア）は図１のＡ−Ａ線における縦断面図である。（イ）は図１のＢ−Ｂ線における縦断面図である。
【図４】
図４は本発明の第２実施例の一部切断  正面図である。
【図５】
第２実施例の一部切断  背面図である。
【図６】
図６は本発明の第３実施例の一部切断  正面図である。
【図７】
図６のＣ−Ｃ線における縦断面図である。
【図８】
図８は本発明の第４実施例の一部切断  正面図である。
【図９】
図９は本発明の第５実施例の一部切断  正面図である。
【符号の説明】
２、２２、４２、５２：ハンド部  ５、２４，３３，４５，５７：導電部
３、２７、２７ａ、３５、５４：光電池                    ４：保護フィルム
６，２５，５８，３３ｃ，３３ｅ，３３ｇ，５８：絶縁体
５ａ，５ｂ，２４ａ，２４ｂ，３３ｂ，３３ｄ，３３ｆ，４５ａ，４５ｂ，５７ａ，５７ｂ：導電体
７，２８，３４，４６，５９：発光ダイオード
８、２６：  歯みがき部                                １０：水液移動通路
９：抵抗器                                            ５４：逆流防止ダイオード
【手続補正２】
【補正対象書類名】図面
【補正対象項目名】全図
【補正方法】変更
【補正の内容】
【図１】
2003164334.tif 000001
【図２】
2003164334.tif 000002
【図３】
2003164334.tif 000003
【図４】
2003164334.tif 000004
【図５】
2003164334.tif 000005
【図６】
2003164334.tif 000006
【図７】
2003164334.tif 000007
【図８】
2003164334.tif 000008
【図９】
2003164334.tif 000009